(57)【要約】【課題】自動車等に乗車して移動しながら放送を受信している場合に、放送地域をまたがって移動しても地域ごとのデジタル放送を継続的に選局する地上デジタル自動選局方法を提供することを目的とする。【解決手段】ダブルチューナー搭載のダイバーシティアンテナ受信機では、２個のチューナーで状態の良い方の信号を用いて受信を行う。電波が安定しているときは、片方のチューナーをもちいてチャンネルサーチを行い、受信地域の全チャンネル情報を受信機に記憶させる。また、放送で隣接地域のチャンネル情報を放送し、それを片方のチューナーで受信して、隣接地域のチャンネル情報を記憶させることにより、隣接地域に移動したときにその地域の放送チャンネルをサーチすることなく、シームレスな放送受信が可能となる。【選択図】  図１
2004320406.tif 000002
【特許請求の範囲】
【請求項１】
符号化された、映像信号または音声信号またはデータ信号の少なくとも１つを含む信号で構成された論理チャンネル信号と、物理チャンネルと論理チャンネルの配置を表す配置情報信号とが、多重された多重データを変調してなるデジタル放送物理チャンネル信号を受信し、選局・復調・多重分離・復号処理を施して映像・音声信号を出力するとともに、受信信号の信号強度や受信品質等の受信状況を示す第１の受信情報と論理チャンネルの配置を表す配置情報信号を出力する第１のデジタル受信系統と、
符号化された、映像信号または音声信号またはデータ信号の少なくとも１つを含む信号で構成された論理チャンネル信号と、物理チャンネルと論理チャンネルの配置を表す配置情報信号とが、多重された多重データを変調してなるデジタル放送物理チャンネル信号を受信し、選局・復調・多重分離・復号処理を施して映像・音声信号を出力するとともに、受信信号の信号強度や受信品質等の受信状況を示す第２の受信情報と論理チャンネルの配置を表す配置情報信号を出力する第２のデジタル受信系統と、
前記第１のデジタル受信系統の出力と前記第２のデジタル受信系統の出力とのいずれか一方を、受信装置の出力として選択する選択回路と、
前記配置情報信号を記憶するためのチャンネル配置情報記憶するチャンネルメモリーと、
受信装置全体の制御を司る制御回路とを、具備し、
前記制御回路は、
前記チャンネルメモリーに記憶された前記チャンネル配置情報と、第２のデジタル受信系統で受信中のチャンネル配置情報とに基づき、次に選局すべきデジタル放送物理受信チャンネル信号を推定して、次選局候補物理チャンネルを求める次選局候補抽出手段と、
現在受信しているデジタル受信系統の受信を維持しつつ、別のデジタル受信系統を動作させて次選局候補物理チャンネルを受信することにより得た受信情報と現在受信しているデジタル受信放送の受信情報とに基づき、現在受信している物理チャンネルの受信を継続するか、次選局候補の物理チャンネルを選局するかを判定して切り替える切替判定手段とを、具備したことを特徴とする地上デジタル自動選局方法。
【請求項２】
制御回路は、通常は２つの受信系統で同一チャンネルを受信し、前記第１の受信情報と前記第２の受信情報を比較して受信状況のよい受信系統の出力を選択するようになした受信状況判定手段を具備し、
機器使用者の操作により、制御回路の切替判定手段を必要に応じて前記切替判定手段と受信状況判定手段を切り替えて使用できることを特徴とする請求項１に記載の地上デジタル自動選局方法。
【請求項３】
制御回路は、通常は２つの受信系統で同一チャンネルを受信し、前記第１の受信情報と前記第２の受信情報を比較して受信状況のよい受信系統の出力を選択するようになした受信状況判定手段を具備し、
機器使用者の操作により、選択回路の出力を片方のデジタル受信系統の出力に固定し、もう片方の受信系統ではチャンネルサーチ動作を行って得られた物理チャンネルと論理チャンネルの配置を表す配置情報信号をチャンネルメモリーに記憶することを特徴とする請求項１に記載の地上デジタル自動選局方法。
【請求項４】
第１のデジタル受信系統は、
アンテナ手段で受信した放送信号から物理チャンネル信号を選択し分離する第１のデジタル用選局回路と、前記第１のデジタル用選局回路から出力される変調された前記デジタル放送物理チャンネル信号から前記多重データ信号を復調して出力するとともに、前記第１のデジタル用選局回路から出力される受信信号の信号強度や受信品質等の受信状況を示す第１の受信情報を出力する第１のデジタル用復調回路と、前記第１のデジタル用復調回路から出力された多重データ信号から、映像信号または音声信号またはデータ信号の少なくとも１つを含む信号で構成された論理チャンネル信号を出力するとともに、物理チャンネルと論理チャンネルの配置を表す配置情報信号を出力する第１のデジタル用多重分離回路と、前記第１の多重分離回路から出力された映像信号または音声信号またはデータ信号の少なくとも１つを含む信号で構成された論理チャンネル信号から映像信号または音声信号またはデータ信号をそれぞれ復号し出力する第１の復号回路とを、具備し、
第２のデジタル受信系統は、
アンテナ手段で受信した放送信号から物理チャンネル信号を選択し分離する第２のデジタル用選局回路と、前記第２のデジタル用選局回路から出力される変調された前記第２のデジタル放送物理チャンネル信号から前記多重データ信号を復調して出力するとともに、前記第２のデジタル用選局回路から出力される受信信号の信号強度や受信品質等の受信状況を示す第２の受信情報を出力する第２のデジタル用復調回路と、前記第２のデジタル用復調回路から出力された多重データ信号から、映像信号または音声信号またはデータ信号の少なくとも１つを含む信号で構成された論理チャンネル信号を出力するとともに、物理チャンネルと論理チャンネルの配置を表す配置情報信号を出力する第２のデジタル用多重分離回路と、前記第２の多重分離回路から出力された映像信号または音声信号またはデータ信号の少なくとも１つを含む信号で構成された論理チャンネル信号から映像信号または音声信号またはデータ信号をそれぞれ復号し出力する第２の復号回路と、よりなることを特徴とする請求項１に記載の地上デジタル自動選局方法。
【発明の詳細な説明】
【０００１】
【発明の属する技術分野】
本発明は、例えば放送地域をまたがって移動する自動車などの移動体において、地上デジタル放送を受信する技術に係わり、特にデジタル受信系統を２系統持った受信装置に係わる技術である。
【０００２】
【従来の技術】
地上デジタルテレビジョン放送では、従来の地上アナログテレビジョン放送と同じように地域ごとに放送局が存在し、物理チャンネル配置が地域ごとに異なっている。そのため、自動車等に乗車して移動しながら放送を受信するときには、放送地域をまたがって移動すると、受信していたチャンネルのままで受信不可能となり、あらたに選局が必要となる。
【０００３】
従来の技術としては、例えば特許文献１に記載の受信装置およびテレビジョン受信機および受信方法（以下、従来技術と称す）は、デジタル受信系統とアナログ受信系統とＧＰＳによる位置検出手段とを備えており、例えば次の特徴を持っている。
【０００４】
第１の特徴は、デジタル受信系統とアナログ受信系統の両方を持つことにより、片方が受信できなくなった場合に、もう片方の受信手段に切り替えることにより連続して受信可能なことである。
【０００５】
第２の特徴は、位置情報を取得することにより、適正なタイミングで受信の切替を行うことが可能なことである。
【０００６】
【特許文献１】
特開２００１−１６９１９５号公報
【０００７】
【発明が解決しようとする課題】
しかしながら、上記の従来技術では、デジタル放送の受信に着目すれば、片方のデジタル受信装置でデジタル放送を受信している間は、空いている受信装置はアナログ受信装置なので、次に切り替えるべきデジタル放送を受信できず、そのため切替情報を取得できないため、現在受信しているデジタル放送から次選局候補のデジタル放送を見つけられず、デジタル放送から次選局デジタル放送へ継続的に受信できないことが考慮されていない。
【０００８】
本発明は上記従来の課題を解決するもので、自動車等に乗車して移動しながら放送を受信している場合に、放送地域をまたがって移動しても地域ごとのデジタル放送を継続的に選局する地上デジタル自動選局方法を提供することを目的とする。
【０００９】
【課題を解決するための手段】
上記課題を解決するために、本発明では、符号化された、映像信号または音声信号またはデータ信号の少なくとも１つを含む信号で構成された論理チャンネル信号と、物理チャンネルと論理チャンネルの配置を表す配置情報信号とが、多重された多重データを変調してなるデジタル放送物理チャンネル信号を受信し、選局・復調・多重分離・復号処理を施して映像・音声信号を出力するとともに、受信信号の信号強度や受信品質等の受信状況を示す第１の受信情報と論理チャンネルの配置を表す配置情報信号を出力する第１のデジタル受信系統と、符号化された、映像信号または音声信号またはデータ信号の少なくとも１つを含む信号で構成された論理チャンネル信号と、物理チャンネルと論理チャンネルの配置を表す配置情報信号とが、多重された多重データを変調してなるデジタル放送物理チャンネル信号を受信し、選局・復調・多重分離・復号処理を施して映像・音声信号を出力するとともに、受信信号の信号強度や受信品質等の受信状況を示す第２の受信情報と論理チャンネルの配置を表す配置情報信号を出力する第２のデジタル受信系統と、前記第１のデジタル受信系統の出力と前記第２のデジタル受信系統の出力とのいずれか一方を、受信装置の出力として選択する選択回路と、前記配置情報信号を記憶するためのチャンネル配置情報記憶するチャンネルメモリーと、
受信装置全体の制御を司る制御回路とを、具備し、前記制御回路は、前記チャンネルメモリーに記憶された前記チャンネル配置情報と、第２のデジタル受信系統で受信中のチャンネル配置情報とに基づき、次に選局すべきデジタル放送物理受信チャンネル信号を推定して、次選局候補物理チャンネルを求める次選局候補抽出手段と、現在受信しているデジタル受信系統の受信を維持しつつ、別のデジタル受信系統を動作させて次選局候補物理チャンネルを受信することにより得た受信情報と現在受信しているデジタル受信放送の受信情報とに基づき、現在受信している物理チャンネルの受信を継続するか、次選局候補の物理チャンネルを選局するかを判定して切り替える切替判定手段とを、具備するように構成される。
【００１０】
【発明の実施の形態】
以下本発明の実施の形態について図を用いて説明する。
【００１１】
（実施の形態１）
図１は、本発明の実施の形態１における受信形態のブロック図である。
【００１２】
図１において、１００は受信装置、１０１は第１のアンテナ装置、１３１は第１のアンテナ装置からの受信信号、１１１は第２のアンテナ装置、１４１は第２のアンテナ装置からの受信信号、１３８は選択回路制御信号、１２２は選択回路、１３９は映像音声出力信号である。
【００１３】
さらに、１２３はチャンネルメモリー、１５１は書き込みチャンネル情報、１５２は読み出しチャンネル情報である。
【００１４】
地上デジタル放送では、映像、音声信号およびデータ信号で構成された論理チャンネルは、ＭＰＥＧで符号化および多重化され、ＯＦＤＭ方式によってデジタル変調されて一つの放送チャンネルとなる。複数の放送局が集まり複数の放送チャンネルとなって送信ネットワークを構成する。
【００１５】
送信ネットワークの単位は地上デジタルでは、地域の放送事業者毎に構成されるため、ネットワーク情報を記述したネットワークＩＤ（ＮＩＴ）を抽出することにより、地域の放送事業者が送出している親局や中継局のチャンネル配置情報を知ることができる。
【００１６】
図２は、本実施の形態の受信装置を搭載した移動体と周辺の地上デジタル放送局を示した模式図である。
【００１７】
図２において、２００は受信装置１００を搭載した移動体、２０１はＡ送信局、２０４はＡ送信局の受信地域の範囲、２０２はＢ送信局、２０６はＢ送信局の受信地域の範囲を示している。また、２０５はＡ送信局を受信すべき受信地域の範囲、２０７はＢ送信局を受信すべき受信地域の範囲を示している。Ａ送信局とＢ送信局が同一ネットワークＩＤを有する送信局であれば、Ａ送信局２０１が送信信号には、Ａ送信局およびＢ送信局の物理周波数配置情報と物理周波数に変調されている論理チャンネルの情報が含まれている。
【００１８】
次に、図１と図２を用いて本実施の形態の動作を説明する。
【００１９】
図１において、デジタル放送波の第１のデジタル受信系統１０６では、デジタル放送波受信信号を選局、復調、多重分離、復号して、映像、音声信号１３９を出力する。
【００２０】
また、第１のデジタル受信系統１０６は、物理チャンネル変調信号のレベルや誤り率を検出し、それに応じた第１の受信情報やチャンネル配置情報１０８を制御回路１２１に送出する。制御回路１２１は、受け取ったチャンネル配置情報１５１をチャンネルメモリ１２３に出力して、チャンネル配置情報をチャンネルメモリ１２３に記憶させる。
【００２１】
また、デジタル放送波の第２のデジタル受信系統１１６では、デジタル放送波受信信号を選局、復調、多重分離、復号して、映像、音声信号１４５を出力する。
【００２２】
また、第２のデジタル受信系統１１６では、物理チャンネル変調信号のレベルや誤り率を検出し、それに応じた第２の受信情報やチャンネル配置情報１１８を制御回路１２１に送出する。制御回路１２１は、受け取ったチャンネル配置情報１５１をチャンネルメモリ１２３に出力して、チャンネル配置情報をチャンネルメモリ１２３に記憶させる。
【００２３】
選択回路１２２は、制御回路１２１の制御出力信号１３８により、第１のデジタル波の映像、音声出力信号１３５と第２のデジタル波の映像、音声信号１４５を切り替えて、映像音声出力信号１３９を出力する。
【００２４】
このような構成をとる図１に示した本実施の形態の受信装置によれば、デジタル放送波の受信系統を２系統有しているため、例えば、片方の受信系統が安定に受信中に、もう片方の受信系統で次選局候補の選択を行っておき、現在受信している送信局のサービスエリアを出て隣の送信局のサービスエリアに入った時に、自動的にチャンネルを切り替えることができる効果がある。
【００２５】
さらに、本実施の形態の受信装置によれば、自動車等の移動体で移動しながら放送を受信している際に、現在視聴している番組と同じ系列の番組が例え物理チャンネルが異なっていても自動的に探し、継続的に視聴することが可能となる。
【００２６】
図２では、その様子を模式的に示す。Ａ送信局２０１の受信可能範囲２０４の中をＡ送信局の放送を受信しながら移動している移動体２００が、Ｂ送信局２０２の受信可能範囲２０６に入り、そこからＢ送信局のサービスエリアにはいる様子を示している。
【００２７】
この場合の実施の形態における動作について、図３のフローチャートを用いて説明する。
【００２８】
図２において、移動体２００はＡ送信局のサービスエリア（Ａエリア）２０５の中でＡ送信局の放送を受信しているものとする。この受信している物理チャンネルの中にはＡ送信局２０１およびＢ送信局２０２の物理チャンネルの配置情報が含まれている。
【００２９】
図３において、３０１は処理を開始するステップ、３０２は第１の受信系統受信により、選局、復調、多重分離、復号した映像音声を選択して出力映像音声信号１３９が出力するステップ、３０３は現在の受信系統で受信状態のチェックをおこなうステップ、３０４は第２の受信系統受信で、選局、復調、多重分離、復号した映像音声を選択して出力映像音声信号１４５を出力するまでを動作させるステップ、３０５はチャンネル配置情報を取得するステップ、３０６はチャンネル配置情報から次の受信チャンネルを推定するステップ、３０７は第２のデジタル受信系統を利用して次の受信チャンネルの受信状態をチェックするステップ、３０８は現受信チャンネルの受信状態のチェックのステップ３０３の結果と第２のデジタル受信系統を利用して次の受信チャンネルの受信状態をチェックするステップ３０７の結果を比較して受信切替を行うかどうかを判定するステップ、３０９は受信切替判定ステップ３０８の結果に基づいて次の受信チャンネルに切り替えた方がよいと判定された場合に次の受信チャンネルに切り替えるステップである。
【００３０】
まず、図３のステップ３０２において、第１の受信系統により、Ａ送信局の放送する物理チャンネルの選局が行われ、その後、復調、多重分離、復号した映像音声を選択して出力映像音声信号１３９が出力する。このとき、デジタル用多重分離回路１０４からはＮＩＴなどの記述されている受信情報を制御回路１２１に出力し、さらに受信情報はチャンネルメモリ１２３に記憶される。
【００３１】
ステップ３０３において、現在の受信系統（今の場合は第１の受信系統）で第１の受信情報１３６の内容により受信状態のチェックをおこなう。受信状態のチェックは、ＡＧＣ情報、誤り率、Ｃ／Ｎなどの情報を用いて判断することが可能である。
【００３２】
ステップ３０４において、第２の受信系統受信で、現在受信している以外の物理チャンネルを自動的に順番に選局し、復調、多重分離、復号した映像音声を選択して出力映像音声信号１４５を出力するまでを動作させる。
【００３３】
ステップ３０５においては、第２の受信系統で受信した信号からチャンネル配置情報を取得する。
【００３４】
ステップ３０６においては、受信した物理チャンネルのチャンネル配置情報から、第２の受信系統で受信した信号が現在受信している放送と同じ系列（内容）の放送であるかどうかを判断し、次の受信チャンネルを推定する。
【００３５】
ステップ３０７においては、第２のデジタル受信系統を利用して次の受信チャンネルの受信状態をチェックする。
【００３６】
ステップ３０８においては、現受信チャンネルの受信状態のチェックのステップ３０３の結果と第２のデジタル受信系統を利用して次の受信チャンネルの受信状態をチェックするステップ３０７の結果を比較して受信切替を行うかどうかを判定する。
【００３７】
ステップ３０９においては、受信切替判定ステップ３０８の結果に基づいて次の受信チャンネルに切り替えた方がよいと判定された場合に次の受信チャンネルに切り替える。
【００３８】
以上のように本実施の形態によれば、受信装置１００を搭載した移動体２００が放送サービエリアをまたいで進行する場合に、次に受信すべきデジタル放送の物理チャンネルに自動的に切り替えて視聴を続けることが可能になる。
【００３９】
（実施の形態２）
また、図１の実施の形態において、制御回路１０８は、通常は２つの受信系統で同一チャンネルを受信するようになし、第１の受信情報１０８と第２の受信情報１０９を比較して受信状況のよい受信系統の出力を選択するようになした受信状況判定手段をもちいることによって、第１のアンテナ装置１０１と第２のアンテナ装置の受信状況のよい方を選択して表示させる、いわゆるダイバーティアンテナが構成可能である。
【００４０】
機器使用者の操作により、制御回路１３８の切替判定手段を必要に応じて前記切替判定手段と受信状況判定手段を切り替えて使用できるようにすることで、通常はダイバーシティアンテナとして、２つの受信系統で同一物理チャンネルを受信し、受信状況に応じて自動的に切り替えて使用し、放送エリアの端近くでは、ダイバーシティ動作をやめて、片方の受信系統で現在受信している放送を受信しつつ、もう片方の受信系統で、次に受信する物理チャンネルのサーチを可能とし、隣の放送サービスエリアに移動体が入った時に、現在受信しているチャンネルから自動的に隣の放送サービスエリアのチャンネルに切り替えることが可能となる。
【００４１】
（実施の形態３）
また、図１の実施の形態において、制御回路１２１は、通常は２つの受信系統で同一チャンネルを受信し、前記第１の受信情報１０８と前記第２の受信情報１１８を比較して受信状況のよい受信系統の出力を選択するようになした受信状況判定手段をもちいることによって、第１のアンテナ装置１０１と第２のアンテナ装置の受信状況のよい方を選択して表示させる、いわゆるダイバーティアンテナが構成可能である。
【００４２】
機器使用者の操作により、選択回路の出力を片方のデジタル受信系統の出力に固定し、もう片方の受信系統ではチャンネルサーチ動作を行って得られた物理チャンネルと論理チャンネルの配置を表す配置情報信号をチャンネルメモリーに記憶させることにより、現在受信している受信系統で放送を受信しながら、もう片方の受信系統で移動体の現在位置での受信可能チャンネル情報が受信装置のチャンネルメモリに記憶できるため、現在受信チャンネルが放送サービスエリアからはずれて受信できなくなった場合でも、すでに受信可能なチャンネル情報がチャンネルメモリーに書き込まれているため、新たに受信可能な送信局を探さなくても、素早く選局することが可能となる。
【００４３】
（実施の形態４）
図４は、本発明の実施の形態４における受信形態のブロック図である。
【００４４】
図４において、１００は受信装置、１０１は第１のアンテナ装置、１１１は第２のアンテナ装置、１３１は受信信号、１３８は選択回路制御信号、１２２は選択回路、１３９は映像音声出力信号である。
【００４５】
また、デジタル放送の第１の受信系統として、１０２は第１のデジタル用選局回路、１０３は第１のデジタル用復調回路、１０４は第１のデジタル用多重分離回路、１０５は第１の復号回路である。
【００４６】
また、デジタル放送の第２の受信系統として、１１２は第１のデジタル用選局回路、１１３は第１のデジタル用復調回路、１１４は第１のデジタル用多重分離回路、１１５は第１の復号回路である。
【００４７】
さらに、１２３はチャンネルメモリー、１５１は書き込みチャンネル情報、１５２は読み出しチャンネル情報である。
【００４８】
地上デジタル放送では、映像、音声信号およびデータ信号で構成された論理チャンネルは、ＭＰＥＧで符号化および多重化され、ＯＦＤＭ方式によってデジタル変調されて一つの放送チャンネルとなる。複数の放送局が集まり複数の放送チャンネルとなって送信ネットワークを構成する。
【００４９】
送信ネットワークの単位は地上デジタルでは、地域の放送事業者毎に構成されるため、ネットワーク情報を記述したネットワークＩＤ（ＮＩＴ）を抽出することにより、地域の放送事業者が送出している親局や中継局のチャンネル配置情報を知ることができる。
【００５０】
図２は、本実施の形態の受信装置を搭載した移動体と周辺の地上デジタル放送局を示した模式図である。
【００５１】
図２において、２００は受信装置１００を搭載した移動体、２０１はＡ送信局、２０４はＡ送信局の受信地域の範囲、２０２はＢ送信局、２０６はＢ送信局の受信地域の範囲を示している。また、２０５はＡ送信局を受信すべき受信地域の範囲、２０７はＢ送信局を受信すべき受信地域の範囲を示している。Ａ送信局とＢ送信局が同一ネットワークＩＤを有する送信局であれば、Ａ送信局２０１が送信信号には、Ａ送信局およびＢ送信局の物理周波数配置情報と物理周波数に変調されている論理チャンネルの情報が含まれている。
【００５２】
次に、図４と図２を用いて本実施の形態の動作を説明する。
【００５３】
図４において、デジタル放送波の第１の受信系統では、デジタル放送波受信信号を選局、復調、多重分離、復号する。すなわち、制御回路１２１は、選局信号１３７によって物理チャンネルを設定する。デジタル選局回路１０２は、第１のアンテナ装置１０１の信号を入力し、選局信号１３７によって希望の周波数を分離選別し、周波数変換をおこない物理チャンネル変調信号１３２を出力する。第１のデジタル復調回路１０３は、物理チャンネル変調信号１３２を入力し、ＯＦＤＭ変調された信号を復調することにより、第１の受信情報１３６と映像、音声、データ信号などの論理チャンネルが多重化された符号化信号１３３を出力する。さらに、第１のデジタル用多重分離回路１０４は、多重化された符号化信号１３３から論理チャンネルを分離して、分離した論理チャンネル１３４を出力する。また、第１のデジタル用多重分離回路１０４は、ＮＩＴなどの記述されている受信情報を制御回路１２１に出力する。復号回路１０５は、分離した論理チャンネル１３４を入力し、映像、音声、データ信号などを復号して、映像、音声信号１３９が出力される。
【００５４】
また、第１の復調回路１０３は、物理チャンネル変調信号のレベルや誤り率を検出し、それに応じた第１の受信情報１３６を制御回路１２２に送出する。
【００５５】
また、第１のデジタル用多重分離回路は、多重化された信号１３３に含まれるチャンネル情報を抽出して、チャンネル配置情報１３７を制御回路１２１に出力する。制御回路１２１は、受け取ったチャンネル配置情報１５１をチャンネルメモリ１２３に出力して、チャンネル配置情報をチャンネルメモリ１２３に記憶させる。
【００５６】
また、デジタル放送波の第２の受信系統では、デジタル放送波受信信号を選局、復調、多重分離、復号する。すなわち、制御回路１２１は、選局信号１４７によって物理チャンネルを設定する。デジタル選局回路１１２は、第２のアンテナ装置１１１の信号を入力し、選局信号１４７によって希望の周波数を分離選別し、周波数変換をおこない物理チャンネル変調信号１４２を出力する。第２のデジタル復調回路１１３は、物理チャンネル変調信号１４２を入力し、ＯＦＤＭ変調された信号を復調することにより、第２の受信情報１４６と映像、音声、データ信号などの論理チャンネルが多重化された符号化信号１４３を出力する。さらに、第２のデジタル用多重分離回路１１４は、多重化された符号化信号１４３から論理チャンネルを分離して、分離した論理チャンネル１４４を出力する。また、第２のデジタル用多重分離回路１１４は、ＮＩＴなどの記述されている受信情報を制御回路１２１に出力する。復号回路１１５は、分離した論理チャンネル１４４を入力し、映像、音声、データ信号などを復号して、映像、音声信号１４５が出力される。
【００５７】
また、第２の復調回路１１３は、物理チャンネル変調信号のレベルや誤り率を検出し、それに応じた第１の受信情報１４６を制御回路１２２に送出する。
【００５８】
また、第２のデジタル用多重分離回路は、多重化された信号１４３に含まれるチャンネル情報を抽出して、チャンネル配置情報１４７を制御回路１２１に出力する。制御回路１２１は、受け取ったチャンネル配置情報１５１をチャンネルメモリ１２３に出力して、チャンネル配置情報をチャンネルメモリ１２３に記憶させる。
【００５９】
選択回路１２２は、制御回路１２１の制御出力信号１３８により、第１のデジタル波の映像、音声出力信号１３５と第２のデジタル波の映像、音声信号１４５を切り替えて、映像音声出力信号１３９を出力する。
【００６０】
このような構成をとる図４に示した本実施の形態の受信装置によれば、デジタル放送波の受信系統を２系統有しているため、例えば、片方の受信系統が安定に受信中に、もう片方の受信系統で次選局候補の選択を行っておき、現在受信している送信局のサービスエリアを出て隣の送信局のサービスエリアに入った時に、自動的にチャンネルを切り替えることができる効果がある。
【００６１】
さらに、本実施の形態の受信装置によれば、自動車等の移動体で移動しながら放送を受信している際に、現在視聴している番組と同じ系列の番組が例え物理チャンネルが異なっていても自動的に探し、継続的に視聴することが可能となる。
【００６２】
図２では、その様子を模式的に示す。Ａ送信局２０１の受信可能範囲２０４の中をＡ送信局の放送を受信しながら移動している移動体２００が、Ｂ送信局２０２の受信可能範囲２０６に入り、そこからＢ送信局のサービスエリアにはいる様子を示している。
【００６３】
この場合の実施の形態における動作について、図３のフローチャートを用いて説明する。
【００６４】
図２において、移動体２００はＡ送信局のサービスエリア（Ａエリア）２０５の中でＡ送信局の放送を受信しているものとする。この受信している物理チャンネルの中にはＡ送信局２０１およびＢ送信局２０２の物理チャンネルの配置情報が含まれている。
【００６５】
図３において、３０１は処理を開始するステップ、３０２は第１の受信系統受信により、選局、復調、多重分離、復号した映像音声を選択して出力映像音声信号１３９が出力するステップ、３０３は現在の受信系統で受信状態のチェックをおこなうステップ、３０４は第２の受信系統受信で、選局、復調、多重分離、復号した映像音声を選択して出力映像音声信号１４５を出力するまでを動作させるステップ、３０５はチャンネル配置情報を取得するステップ、３０６はチャンネル配置情報から次の受信チャンネルを推定するステップ、３０７は第２のデジタル受信系統を利用して次の受信チャンネルの受信状態をチェックするステップ、３０８は現受信チャンネルの受信状態のチェックのステップ３０３の結果と第２のデジタル受信系統を利用して次の受信チャンネルの受信状態をチェックするステップ３０７の結果を比較して受信切替を行うかどうかを判定するステップ、３０９は受信切替判定ステップ３０８の結果に基づいて次の受信チャンネルに切り替えた方がよいと判定された場合に次の受信チャンネルに切り替えるステップである。
【００６６】
まず、図３のステップ３０２において、第１の受信系統により、Ａ送信局の放送する物理チャンネルの選局が行われ、その後、復調、多重分離、復号した映像音声を選択して出力映像音声信号１３９が出力する。このとき、デジタル用多重分離回路１０４からはＮＩＴなどの記述されている受信情報を制御回路１２１に出力し、さらに受信情報はチャンネルメモリ１２３に記憶される。
【００６７】
ステップ３０３において、現在の受信系統（今の場合は第１の受信系統）で第１の受信情報１３６の内容により受信状態のチェックをおこなう。受信状態のチェックは、ＡＧＣ情報、誤り率、Ｃ／Ｎなどの情報を用いて判断することが可能である。
【００６８】
ステップ３０４において、第２の受信系統受信で、現在受信している以外の物理チャンネルを自動的に順番に選局し、復調、多重分離、復号した映像音声を選択して出力映像音声信号１４５を出力するまでを動作させる。
【００６９】
ステップ３０５においては、第２の受信系統で受信した信号からチャンネル配置情報を取得する。
【００７０】
ステップ３０６においては、受信した物理チャンネルのチャンネル配置情報から、第２の受信系統で受信した信号が現在受信している放送と同じ系列（内容）の放送であるかどうかを判断し、次の受信チャンネルを推定する。
【００７１】
ステップ３０７においては、第２のデジタル受信系統を利用して次の受信チャンネルの受信状態をチェックする。
【００７２】
ステップ３０８においては、現受信チャンネルの受信状態のチェックのステップ３０３の結果と第２のデジタル受信系統を利用して次の受信チャンネルの受信状態をチェックするステップ３０７の結果を比較して受信切替を行うかどうかを判定する。
【００７３】
ステップ３０９においては、受信切替判定ステップ３０８の結果に基づいて次の受信チャンネルに切り替えた方がよいと判定された場合に次の受信チャンネルに切り替える。
【００７４】
【発明の効果】
以上のように本発明の地上デジタル自動選局方法によれば、送信局のサービスエリアまたがって移動する自動車等の移動体に搭載された地上デジタル受信装置は、現在受信している放送が受信しにくいあるいはできない状況になっても、次々と受信すべきチャンネルに自動的に切り替わるあるいはすでにチャンネルメモリーの中に新しいチャンネル情報が記憶されており、瞬時に受信可能な物理チャンネルを選択することが可能になる。
【図面の簡単な説明】
【図１】本発明の実施の形態１に係わる受信装置の構成を示すブロック図
【図２】本発明の実施の形態１に係わる受信装置と送信局との関わりを模式的に示した図
【図３】本発明の実施の形態１に係わる受信装置における、動作フローの一例を示すフローチャート
【図４】本発明の実施の形態４に係わる受信装置の構成を示すブロック図
【符号の説明】
１００  受信装置
１０１  第１のアンテナ装置
１０６  第１のデジタル受信系統
１１１  第２のアンテナ装置
１１６  第２のデジタル受信系統
１２１  制御回路
１２３  チャンネルメモリー
１２２  選択回路
【図１】
2004320406.tif 000003
【図２】
2004320406.tif 000004
【図３】
2004320406.tif 000005
【図４】
2004320406.tif 000006